【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
着座者を背側から支持するシートバックを備える車両用シートであって、
前記シートバックのうち、前記着座者の肩を支持する肩支持部が、流体が封入されることにより膨出する袋体を有し、
前記袋体は、シート正面視左側に配置される左袋体と、シート正面視右側に配置される右袋体と、を含む左右袋体であって、
前記左右袋体の各々は、該袋体の流体が封入される部分の長手方向におけるシート内側の端部が、該長手方向におけるシート外側の端部よりも上方に配置されていることを特徴とする車両用シート。
【請求項２】
前記左右袋体の各々は、被固定部において、前記シートバック内に設けられた支持体に支持され、
前記被固定部は、シート幅方向において内側に設けられた内側被固定部と、前記内側被固定部よりもシート幅方向において外側且つシート上下方向において下方に設けられた外側被固定部と、を含むことを特徴とする請求項１に記載の車両用シート。
【請求項３】
前記左右袋体の各々は、被固定部において、前記シートバック内に設けられた支持体に支持され、
前記被固定部は、シート幅方向において内側に設けられた内側被固定部と、前記内側被固定部よりもシート幅方向において外側に設けられた外側被固定部と、を含み、
前記着座者の腰部を支持するランバーサポートが、シート幅方向において互いに離れた左右の固定位置で前記支持体に固定され、
前記左袋体の前記内側被固定部は、前記ランバーサポートの左側の前記固定位置よりもシート幅方向において内側に設けられ、
前記右袋体の前記内側被固定部は、前記ランバーサポートの右側の前記固定位置よりもシート幅方向において内側に設けられていることを特徴とする請求項１に記載の車両用シート。
【請求項４】
前記支持体は、結合ワイヤによって前記シートバックのシートバックフレームに取り付けられ、
前記左右袋体の各々の内側被固定部は、前記結合ワイヤの前記シートバックフレームへの取付位置よりも、シート上下方向で下方に位置することを特徴とする請求項２又は３に記載の車両用シート。
【請求項５】
前記左右袋体の各々の上端は、前記結合ワイヤの前記シートバックフレームへの前記取付位置よりも、シート上下方向で下方に位置することを特徴とする請求項４に記載の車両用シート。
【請求項６】
前記結合ワイヤは、シート正面視において左右２箇所で上方に延出しており、
前記左袋体の前記内側被固定部及び前記外側被固定部は、シート正面視左側で延出している前記結合ワイヤの前記シートバックフレームへの前記取付位置よりもシート幅方向において内側に設けられ、
前記右袋体の前記内側被固定部及び前記外側被固定部は、シート正面視右側で延出している前記結合ワイヤの前記シートバックフレームへの前記取付位置よりもシート幅方向において内側に設けられていることを特徴とする請求項４又は５に記載の車両用シート。
【請求項７】
前記シートバックは、左右のピラー支持部を備え、
前記左袋体の前記内側被固定部は、シート正面視左側に設けられた前記ピラー支持部のシート幅方向における外側端部よりもシート幅方向において内側に設けられ、
前記右袋体の前記内側被固定部は、シート正面視右側に設けられた前記ピラー支持部のシート幅方向における外側端部よりもシート幅方向において内側に設けられていることを特徴とする請求項２乃至６のいずれか一項に記載の車両用シート。
【請求項８】
前記左右袋体の各々は、前記内側被固定部と前記外側被固定部との間に凹み部を備えたことを特徴とする請求項２乃至７のいずれか一項に記載の車両用シート。
【手続補正２】
【補正対象書類名】明細書
【補正対象項目名】０００９
【補正方法】変更
【補正の内容】
【０００９】
前記課題は、本発明の車両用シートによれば、着座者を背側から支持するシートバックを備える車両用シートであって、前記シートバックのうち、前記着座者の肩を支持する肩支持部が、流体が封入されることにより膨出する袋体を有し、前記袋体は、シート正面視左側に配置される左袋体と、シート正面視右側に配置される右袋体と、を含む左右袋体であって、前記左右袋体の各々は、該袋体の流体が封入される部分の長手方向におけるシート内側の端部が、該長手方向におけるシート外側の端部よりも上方に配置されていることにより解決される。
【手続補正３】
【補正対象書類名】明細書
【補正対象項目名】００１０
【補正方法】変更
【補正の内容】
【００１０】
上記の車両用シートによれば、左右袋体の各々は、袋体の流体が封入される部分の長手方向におけるシート内側の端部が、長手方向におけるシート外側の端部よりも上方に配置されているので、袋体が着座者の肩を適切に押さえるのに好適な位置に配置される。
【手続補正４】
【補正対象書類名】明細書
【補正対象項目名】００１１
【補正方法】変更
【補正の内容】
【００１１】
また、上記の車両用シートにおいて、前記左右袋体の各々は、被固定部において、前記シートバック内に設けられた支持体に支持され、前記被固定部は、シート幅方向において内側に設けられた内側被固定部と、前記内側被固定部よりもシート幅方向において外側且つシート上下方向において下方に設けられた外側被固定部と、を含むと好適である。
【手続補正５】
【補正対象書類名】明細書
【補正対象項目名】００１２
【補正方法】変更
【補正の内容】
【００１２】
また、上記の車両用シートにおいて、前記左右袋体の各々は、被固定部において、前記シートバック内に設けられた支持体に支持され、前記被固定部は、シート幅方向において内側に設けられた内側被固定部と、前記内側被固定部よりもシート幅方向において外側に設けられた外側被固定部と、を含み、前記着座者の腰部を支持するランバーサポートが、シート幅方向において互いに離れた左右の固定位置で前記支持体に固定され、前記左袋体の前記内側被固定部は、前記ランバーサポートの左側の前記固定位置よりもシート幅方向において内側に設けられ、前記右袋体の前記内側被固定部は、前記ランバーサポートの右側の前記固定位置よりもシート幅方向において内側に設けられていると好適である。
【手続補正６】
【補正対象書類名】明細書
【補正対象項目名】００１３
【補正方法】変更
【補正の内容】
【００１３】
また、上記の車両用シートにおいて、前記支持体は、結合ワイヤによって前記シートバックのシートバックフレームに取り付けられ、前記左右袋体の各々の内側被固定部は、前記結合ワイヤの前記シートバックフレームへの取付位置よりも、シート上下方向で下方に位置すると好適である。
【手続補正７】
【補正対象書類名】明細書
【補正対象項目名】００１４
【補正方法】変更
【補正の内容】
【００１４】
また、上記の車両用シートにおいて、前記左右袋体の各々の上端は、前記結合ワイヤの前記シートバックフレームへの前記取付位置よりも、シート上下方向で下方に位置すると好適である。
【手続補正８】
【補正対象書類名】明細書
【補正対象項目名】００１５
【補正方法】変更
【補正の内容】
【００１５】
また、上記の車両用シートにおいて、前記結合ワイヤは、シート正面視において左右２箇所で上方に延出しており、前記左袋体の前記内側被固定部及び前記外側被固定部は、シート正面視左側で延出している前記結合ワイヤの前記シートバックフレームへの前記取付位置よりもシート幅方向において内側に設けられ、前記右袋体の前記内側被固定部及び前記外側被固定部は、シート正面視右側で延出している前記結合ワイヤの前記シートバックフレームへの前記取付位置よりもシート幅方向において内側に設けられていると好適である。
【手続補正９】
【補正対象書類名】明細書
【補正対象項目名】００１６
【補正方法】変更
【補正の内容】
【００１６】
また、上記の車両用シートにおいて、前記シートバックは、左右のピラー支持部を備え、記左袋体の前記内側被固定部は、シート正面視左側に設けられた前記ピラー支持部のシート幅方向における外側端部よりもシート幅方向において内側に設けられ、前記右袋体の前記内側被固定部は、シート正面視右側に設けられた前記ピラー支持部のシート幅方向における外側端部よりもシート幅方向において内側に設けられていると好適である。
【手続補正１０】
【補正対象書類名】明細書
【補正対象項目名】００１７
【補正方法】変更
【補正の内容】
【００１７】
また、上記の車両用シートにおいて、前記左右袋体の各々は、前記内側被固定部と前記外側被固定部との間に凹み部を備えていると好適である。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】